【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
撮影期間における撮影対象領域の撮影に基づく映像と共に再生される再生用音響信号を生成する信号処理装置であって、
前記撮影期間よりも短い第１収音期間において収音された前記撮影対象領域内の音を含む第１音響信号を取得する第１取得手段と、
前記撮影期間よりも長い第２収音期間において収音された前記撮影対象領域の周辺領域の音を含む第２音響信号を取得する第２取得手段と、
前記撮影期間よりも再生期間が長い前記映像と共に再生される前記再生用音響信号を生成する生成手段であって、前記第１取得手段により取得された前記第１音響信号と前記第２取得手段により取得された前記第２音響信号とを、前記映像における前記第１音響信号に含まれる音に対応するイベントのタイミングと前記再生用音響信号における前記第１音響信号に含まれる音の再生タイミングとが合うように合成することで、前記再生用音響信号を生成する生成手段と、を有することを特徴とする信号処理装置。
【請求項２】
前記第１収音期間は前記撮影期間に含まれ、前記第２収音期間は前記撮影期間を含むことを特徴とする請求項１に記載の信号処理装置。
【請求項３】
前記再生期間の長さと前記第２収音期間の長さは同一であることを特徴とする請求項１又は２に記載の信号処理装置。
【請求項４】
前記撮影期間内におけるイベントを検知する検知手段を有し、
前記第１取得手段は、前記撮影期間における収音に基づく収音信号から、前記検知手段によるイベントの検知結果に基づいて前記第１音響信号を抽出することで、前記第１音響信号を取得することを特徴とする請求項１乃至３の何れか１項に記載の信号処理装置。
【請求項５】
前記検知手段は、前記収音信号に含まれる音の大きさに基づいてイベントを検知することを特徴とする請求項４に記載の信号処理装置。
【請求項６】
前記検知手段は、前記撮影期間において撮影された画像に基づいてイベントを検知することを特徴とする請求項４に記載の信号処理装置。
【請求項７】
前記撮影期間内におけるイベントを検知する検知手段を有し、
前記第２取得手段は、前記撮影期間を含む期間であり且つ前記第２収音期間よりも長い期間における収音に基づく収音信号から、前記検知手段による前記イベントの検知結果に基づいて前記第２音響信号を抽出することで、前記第２音響信号を取得することを特徴とする請求項１乃至３の何れか１項に記載の信号処理装置。
【請求項８】
前記撮影期間よりも短い第３収音期間であって前記第１収音期間とは異なる前記第３収音期間において収音された音を含む第３音響信号を取得する第３取得手段を有し、
前記生成手段は、前記第１取得手段により取得された第１音響信号と、前記第２取得手段により取得された第２音響信号と、前記第３取得手段により取得された第３音響信号とを合成することで、前記再生用音響信号を生成することを特徴とする請求項１乃至７の何れか１項に記載の信号処理装置。
【請求項９】
前記映像の撮影期間と前記映像の再生速度とを特定するための情報を取得する情報取得手段と、
前記情報取得手段により取得された情報に基づいて前記第２収音期間を決定する決定手段と、を有し、
前記第２取得手段は、前記決定手段による決定に応じて前記第２音響信号を取得することを特徴とする請求項１乃至８の何れか１項に記載の信号処理装置。
【請求項１０】
前記第１取得手段は、第１のマイク群に含まれるマイクによる収音に基づく前記第１音響信号を取得し、
前記第２取得手段は、前記第１のマイク群とは異なる第２のマイク群に含まれるマイクによる収音に基づく前記第２音響信号を取得することを特徴とする請求項１乃至９の何れか１項に記載の信号処理装置。
【請求項１１】
前記第１音響信号は、再生速度の変更が行われていない音響信号であることを特徴とする請求項１乃至１０の何れか１項に記載の信号処理装置。
【請求項１２】
前記第２音響信号は、再生速度の変更が行われていない音響信号であることを特徴とする請求項１１に記載の信号処理装置。
【請求項１３】
前記撮影対象領域は競技フィールドであり、前記周辺領域は観客席であることを特徴とする請求項１乃至１２の何れか１項に記載の信号処理装置。
【請求項１４】
前記生成手段により生成された前記再生用音響信号を前記映像と同期させて再生する再生手段を有することを特徴とする請求項１乃至１３の何れか１項に記載の信号処理装置。
【請求項１５】
前記映像はスローモーション映像であることを特徴とする請求項１乃至１４の何れか１項に記載の信号処理装置。
【請求項１６】
撮影期間における撮影対象領域の撮影に基づく映像と共に再生される再生用音響信号を生成する信号処理方法であって、
前記撮影期間よりも短い第１収音期間において収音された前記撮影対象領域内の音を含む第１音響信号を取得する第１取得工程と、
前記撮影期間よりも長い第２収音期間において収音された前記撮影対象領域の周辺領域の音を含む第２音響信号を取得する第２取得工程と、
前記撮影期間よりも再生期間が長い前記映像と共に再生される前記再生用音響信号を生成する生成工程であって、前記第１取得工程において取得された前記第１音響信号と前記第２取得工程において取得された前記第２音響信号とを、前記映像における前記第１音響信号に含まれる音に対応するイベントのタイミングと前記再生用音響信号における前記第１音響信号に含まれる音の再生タイミングとが合うように合成することで、前記再生用音響信号を生成する生成工程と、を有することを特徴とする信号処理方法。
【請求項１７】
前記撮影期間内におけるイベントを検知する検知工程を有し、
前記第１取得工程においては、前記撮影期間における収音に基づく収音信号から、前記検知工程におけるイベントの検知結果に基づいて前記第１音響信号を抽出することで、前記第１音響信号が取得されることを特徴とする請求項１６に記載の信号処理方法。
【請求項１８】
前記撮影期間内におけるイベントを検知する検知工程を有し、
前記第２取得工程においては、前記撮影期間を含む期間であり且つ前記第２収音期間よりも長い期間における収音に基づく収音信号から、前記検知工程における前記イベントの検知結果に基づいて前記第２音響信号を抽出することで、前記第２音響信号が取得されることを特徴とする請求項１６に記載の信号処理方法。
【請求項１９】
コンピュータを、請求項１乃至１５の何れか１項に記載の信号処理装置の各手段として機能させるためのプログラム。
【手続補正２】
【補正対象書類名】明細書
【補正対象項目名】発明の名称
【補正方法】変更
【補正の内容】
【発明の名称】信号処理装置、信号処理方法、およびプログラム
【手続補正３】
【補正対象書類名】明細書
【補正対象項目名】０００９
【補正方法】変更
【補正の内容】
【０００９】
上記目的を達成するための一手段として、本発明の信号処理装置は以下の構成を有する。すなわち、撮影期間における撮影対象領域の撮影に基づく映像と共に再生される再生用音響信号を生成する信号処理装置であって、前記撮影期間よりも短い第１収音期間において収音された前記撮影対象領域内の音を含む第１音響信号を取得する第１取得手段と、前記撮影期間よりも長い第２収音期間において収音された前記撮影対象領域の周辺領域の音を含む第２音響信号を取得する第２取得手段と、前記撮影期間よりも再生期間が長い前記映像と共に再生される前記再生用音響信号を生成する生成手段であって、前記第１取得手段により取得された前記第１音響信号と前記第２取得手段により取得された前記第２音響信号とを、前記映像における前記第１音響信号に含まれる音に対応するイベントのタイミングと前記再生用音響信号における前記第１音響信号に含まれる音の再生タイミングとが合うように合成することで、前記再生用音響信号を生成する生成手段と、を有する。